(57)【要約】【課題】従来よりも更に編成効率を向上させることができる横編機を提供する。【解決手段】針床に配置される複数の編針１と、編針１に編成動作を行わせるカムシステムと、編針１を選針する選針アクチュエーターと、を備える横編機である。編針１に備わるセレクトジャック３は、基底位置から中間位置に移動するセレクタ４の一部が係合される第一係合部４Ａと、基底位置から進出位置に移動するセレクタの一部が係合される第二係合部４Ｂとを備える。カムシステムは、第一係合部３Ａから第二係合部３Ｂにセレクタ４を掛け替える際に、選択用バット３１を前記針溝２ｇに沈み込ませる切替カム６を備える。切替カム６の突出方向の高さは、固定プレッサ５の突出方向の高さよりも低い。【選択図】図３
2020169431.tif 000002
【特許請求の範囲】
【請求項１】
少なくとも前後一対の針床と、
前記針床に備わる複数の針溝のそれぞれに配置される複数の編針と、
前記編針を前記針溝に沿った方向に進退させて前記編針に編成動作を行わせるカムシステムと、
前記編針を選針する選針アクチュエーターと、を備え、
前記編針は、
前記カムシステムの作用を受ける選択用バットを有し、前記編針に行わせる編成動作を異ならせるセレクトジャックと、
前記針溝に沿った前記セレクトジャックの位置を変化させるセレクタと、を備え、
前記セレクトジャックは、前記選針アクチュエーターによる選針の結果、Ｂポジション、Ｈポジション、又はＡポジションのいずれかに配置される構成となっており、
前記セレクタは、前記Ｂポジションに対応する基底位置、前記Ｈポジションに対応する中間位置、又は前記Ａポジションに対応する進出位置のいずれかに配置される構成となっており、
前記カムシステムは、
前記Ｂポジションにある前記選択用バットを前記針溝に沈み込ませる固定プレッサと、
前記Ｈポジション又は前記Ａポジションにある前記選択用バットを前記Ｂポジションにするセレクトジャック下げカムと、を備える横編機において、
前記セレクトジャックは、
前記基底位置から前記中間位置に移動する前記セレクタの一部が係合される第一係合部と、
前記基底位置から前記進出位置に移動する前記セレクタの一部が係合される第二係合部と、を備え、
前記カムシステムは、
前記セレクトジャック下げカムの縁部に沿って設けられ、前記第一係合部から前記第二係合部に前記セレクタを掛け替える際に、前記選択用バットを前記針溝に沈み込ませる切替カムを備え、
前記切替カムの突出方向の高さは、前記固定プレッサの突出方向の高さよりも低い横編機。
【請求項２】
前記セレクトジャックは、前記選択用バットにおける前記編針の後端側の根元部分から前記後端側に張り出す張出部を備え、
前記第一係合部は、前記選択用バットにおける前記後端側の端面で構成され、
前記第二係合部は、前記張出部における前記後端側の端面で構成される請求項１に記載の横編機。
【請求項３】
前記固定プレッサの延伸方向の端部に設けられ、前記切替カムに近接する連絡部を備え、
前記連絡部の突出方向の高さは、前記切替カムの突出方向の高さと揃っている請求項１又は請求項２に記載の横編機。
【発明の詳細な説明】
【技術分野】
【０００１】
本発明は、従来よりも編成効率に優れる横編機に関する。
【背景技術】
【０００２】
横編機は、少なくとも前後一対の針床と、各針床に並設される多数の針溝のそれぞれに配置される編針と、針床の長手方向に沿って往復運動するキャリッジとを備える（例えば、特許文献１など）。キャリッジにはカムシステムが搭載されており、このカムシステムにより編針を針溝に沿った方向に進退させて編針にニットなどの編成動作を行なわせる。
【０００３】
これらの編成動作は、カムシステムと共にキャリッジに備わる選針アクチュエーターにより編針の動作を制御することにより行われる。図８は、従来の横編機における針床２の針溝２ｇ内での編針１の配置状態を示す概略図である。図９は、従来の横編機におけるカムシステム１００の概略図である。図９には、カムシステム１００が左方向に移動したときに、編針に備わる一部のバットがカムシステム１００上に描く走行軌道を示す。
【０００４】
図８に示すように、編針１が配置される針溝２ｇは、針床２に並列される複数のニードルプレート２ｐの間に形成される。編針１は、ニードルプレート２ｐをその並列方向に貫通するワイヤ２ｗ及び鋼帯２ｂによって針溝２ｇから脱落し難くなっている。この例の編針１は、ニードル本体１０とニードルジャック２０とセレクトジャック３０とセレクタ４０とを備える。ニードル本体１０はその先端にフック１１を有する。ニードルジャック２０は、ニードル本体１０を針溝２ｇの延伸方向に進退させる部材で、二つの編成用バット２１，２２を有する。セレクトジャック３０は、ニードルジャック２０を進退させるか否かを制御する部材で、その先端に選択用バット３１を有する。セレクタ４０は、針溝２ｇの延伸方向におけるセレクトジャック３０のポジションを変化させる部材で、下げバット４１と上げバット４２と選針用バット４３と尾部４４とを有する。
【０００５】
一方、カムシステム１００は、図９に示すように、カムプレート１０１から突出するように設けられている。図９では、二つのカムシステム１００が一枚のカムプレート１０１に設けられたダブルカムシステムが示されている。カムシステム１００はカムプレート１０１に直交する紙面手前側に突出しており、紙面上側（歯口側）に向って図８の編針１が歯口に向かって進出する。以降、カムシステム１００の紙面手前方向を突出方向、紙面上方向を歯口方向とする。
【０００６】
カムシステム１００は、編成カム８０と目移しカム８１を備える。編成カム８０は、ニードルレイジングカムや度山カムなどを含み、主にニット及びタックの際に編成用バット２２に作用する。目移しカム８１は、目移しの際に編成用バット２１に作用する。カムシステム１００は更に、セレクトジャック下げカム８２、上部セレクタガイドカム８３、下部セレクタガイドカム８４、固定プレッサ８５、タックプレッサ８６、ハーフプレッサ８７、セレクタレイジングカム８８、及び復帰カム８９などが設けられている。また、カムプレート１０１には、四つの選針アクチュエーター９１，９２，９３，９４が設けられている。
【０００７】
図８の編針１は、図９の選針アクチュエーター９１，９２，９３，９４による二段階の選針を受けて、その選針の結果とカムシステム１００の状態に応じた編成動作を行う。編針１の選針は、選針アクチュエーター９１，９２，９３，９４により選針されたセレクタ４０により、針溝２ｇの延伸方向におけるセレクトジャック３０のポジションを変えることで行われる。セレクトジャック３０のポジションには、Ｂポジション、Ｂポジションよりも歯口方向にあるＨポジション、Ｈポジションよりも歯口方向にあるＡポジションの三つがある。図９では、各ポジションを四角で囲った『Ｂ』、『Ｈ』、及び『Ａ』で示す。一方、セレクタ４０は、セレクトジャック３０のＢポジションに対応する基底位置、Ｈポジションに対応する中間位置、又はＡポジションに対応する進出位置の三つのポジションを取り得る。図９では、便宜上、セレクタ４０の基底位置、中間位置、及び進出位置をそれぞれ、四角で囲った『Ｂ』、『Ｈ』、及び『Ａ』で示す。
【０００８】
図９を用いて、セレクトジャック３０とセレクタ４０のポジションの変化を説明する。ここでは、カムシステム１００が紙面左方向に移動し、カムプレート１０１の中央にある二つの選針アクチュエーター９２，９３で選針を行う例を説明する。図９には、選針に関わるバットのうち、セレクトジャック３０（図８）の選択用バット３１の軌跡と、セレクタ４０（図８）の下げバット４１、上げバット４２、及び選針用バット４３の軌跡を示す。
【０００９】
まず、Ｂポジションにあるセレクタ４０が選針アクチュエーター９２による１段階目の選針を受ける。選針用バット４３に選針アクチュエーター９２のアクチュエーターカムが作用すると、図８の尾部４４が針溝２ｇ側に回転し、上げバット４２は針溝２ｇ内に沈む。以降、上げバット４２には下部セレクタガイドカム８４が作用できなくなるので、セレクタ４０は基底位置に、セレクトジャック３０はＢポジションに維持される。Ｂポジションに維持された選択用バット３１は、その軌道上にある固定プレッサ８５によって針溝２ｇ内に沈み込まされる。そして、セレクトジャック３０の先端部がニードルジャック２０の中間部を湾曲させ、編成用バット２２を針溝２ｇ内に沈み込ませる。編成用バット２２には編成カム８０が作用できなくなるので、編成動作はミスとなる。図８の尾部４４は、選針アクチュエーター９４による選針を受ける前に、復帰カム８９によって図８に示す状態に復帰される。
【００１０】
選針用バット４３に選針アクチュエーター９２が作用しないと、上げバット４２は針溝２ｇから突出した状態に維持され、下部セレクタガイドカム８４の作用を受ける。下部セレクタガイドカム８４には二つの上げ部８４ａが設けられており、上げ部８４ａによってセレクタ４０は中間位置に上げられる。そして、セレクタ４０の先端部がセレクトジャック３０の選択用バット３１を押し上げ、選択用バット３１はＨポジションになる。二つ目の上げ部８４ａで上げられた選択用バット３１はＨポジションを維持するが、セレクタ４０は上部セレクタガイドカム８３によって基底位置に下げられる。セレクタ４０を基底位置に下げることで、選針用バット４３が２つ目の選針アクチュエーター９３による選針を受けられる。
【００１１】
次にセレクタ４０は、選針アクチュエーター９３による２段階目の選針を受ける。選針用バット４３に選針アクチュエーター９３が作用すると、セレクタ４０は基底位置を維持する。セレクトジャック３０は、セレクタ４０に突き上げられないので、Ｈポジションを維持する。Ｈポジションの選択用バット３１の軌道には、ハーフプレッサ８７及びタックプレッサ８６が設けられている。
【００１２】
一方、選針用バット４３に選針アクチュエーター９３が作用しないと、上げバット４２は針溝２ｇから突出したままとなり、セレクタレイジングカム８８で突き上げられる。セレクタ４０は進出位置に上げられ、セレクタ４０に押し上げられたセレクトジャック３０はＡポジションに上げられる。セレクタ４０は、上部セレクタガイドカム８３によって直ぐに基底位置に下げられる。編成を行った後の選択用バット３１は、紙面右側のセレクトジャック下げカム８２によってＢポジションに下げられる。
【先行技術文献】
【特許文献】
【００１３】
【特許文献１】国際公開第２００７／０７４９４４号
【発明の概要】
【発明が解決しようとする課題】
【００１４】
近年では、横編機における更なる編成効率の向上が望まれており、既存の編針及びカムシステムの形状などを見直すことが検討されている。
【００１５】
本発明は、上記事情に鑑みてなされたものであり、その目的の一つは、従来よりも更に編成効率を向上させることができる横編機を提供することを目的とする。
【課題を解決するための手段】
【００１６】
本発明者は、上記課題を検討した結果、セレクタが１段階目の選針を経て中間位置に上がった後、一旦、基底位置に下がる点に着目した。このような構成では、セレクタが２段階目の選針を経て基底位置から進出位置に上がるとき、セレクタが基底位置から中間位置に移動するまでの間は、セレクタがセレクトジャックを全く突き上げない空走状態になっている。つまり、セレクタが空走する間、セレクタの移動が無駄になっており、その無駄な移動のためにセレクタレイジングカムの歯口方向（紙面上方向）の高さが高くなっている。そこで、発明者は、セレクタが空走する距離を小さくできれば、セレクタレイジングカムの歯口方向の高さを低くできると考え、本発明の横編機を完成させた。
【００１７】
本発明の横編機は、
少なくとも前後一対の針床と、
前記針床に備わる複数の針溝のそれぞれに配置される複数の編針と、
前記編針を前記針溝に沿った方向に進退させて前記編針に編成動作を行わせるカムシステムと、
前記編針を選針する選針アクチュエーターと、を備え、
前記編針は、
前記カムシステムの作用を受ける選択用バットを有し、前記編針に行わせる編成動作を異ならせるセレクトジャックと、
前記針溝に沿った前記セレクトジャックの位置を変化させるセレクタと、を備え、
前記セレクトジャックは、前記選針アクチュエーターによる選針の結果、Ｂポジション、Ｈポジション、又はＡポジションのいずれかに配置される構成となっており、
前記セレクタは、前記Ｂポジションに対応する基底位置、前記Ｈポジションに対応する中間位置、又は前記Ａポジションに対応する進出位置のいずれかに配置される構成となっており、
前記カムシステムは、
前記Ｂポジションにある前記選択用バットを前記針溝に沈み込ませる固定プレッサと、
前記Ｈポジション又は前記Ａポジションにある前記選択用バットを前記Ｂポジションにするセレクトジャック下げカムと、を備える横編機において、
前記セレクトジャックは、
前記基底位置から前記中間位置に移動する前記セレクタの一部が係合される第一係合部と、
前記基底位置から前記進出位置に移動する前記セレクタの一部が係合される第二係合部と、を備え、
前記カムシステムは、
前記セレクトジャック下げカムの縁部に沿って設けられ、前記第一係合部から前記第二係合部に前記セレクタを掛け替える際に、前記選択用バットを前記針溝に沈み込ませる切替カムを備え、
前記切替カムの突出方向の高さは、前記固定プレッサの突出方向の高さよりも低い。
【００１８】
本発明の横編機の一形態として、
前記セレクトジャックは、前記選択用バットにおける前記編針の後端側の根元部分から前記後端側に張り出す張出部を備え、
前記第一係合部は、前記選択用バットにおける前記後端側の端面で構成され、
前記第二係合部は、前記張出部における前記後端側の端面で構成される構成が挙げられる。
【００１９】
本発明の横編機の一形態として、
前記固定プレッサの延伸方向の端部に設けられ、前記切替カムに近接する連絡部を備え、
前記連絡部の突出方向の高さは、前記切替カムの突出方向の高さと揃っている構成が挙げられる。
【発明の効果】
【００２０】
本発明の横編機のセレクトジャックでは、セレクタが基底位置から中間位置に移動する際に係合する箇所と、セレクタが基底位置から進出位置に移動する際に係合する箇所とを異ならせている。そのため、セレクタが基底位置から進出位置に移動する際、セレクタの空走距離を短くすることができる。その結果、セレクタにおける基底位置から進出位置までの移動距離を短くできる。セレクタの移動距離を短くできるということは、セレクタを進出位置に突き上げるセレクタレイジングカムの歯口方向の高さを小さくできるので、カムシステムの移動方向の長さも短くできる。そのため、キャリッジの往復ストロークを短くできるので、編成効率を向上させられる。また、カムシステムの移動方向の長さが短くなることで、キャリッジを小型化・軽量化できるので、編成速度を向上させられる。
【００２１】
また、本発明の横編機では、セレクトジャック下げカムの近傍に設けられる切替カムによって、セレクタに突上げられてＨポジションに移行したセレクトジャックが針溝に沈み込まされ、針溝の深さ方向にセレクタとセレクトジャックとが離隔する。そのタイミングで、セレクタが基底位置に移動し、再度歯口側に進出することで、セレクトジャックの第一係合部に係合されるセレクタが、適切なタイミングで第二係合部に掛け変えられる。また、その掛け替えの際、セレクタとセレクトジャックとが引っ掛かることを回避できるので、掛け替えを失敗する可能性が非常に低い。
【００２２】
セレクトジャックの選択用バットの根元に張出部を設けて、選択用バットの近傍に第一係合部と第二係合部の両方を設けることで、セレクタによるセレクトジャックの突き上げを安定させられる。セレクトジャックにおける選択用バットから近い位置をセレクタで突き上げると、選択用バットが針溝に沈み込む方向にセレクトジャックが回転することを抑制できる。
【００２３】
固定プレッサの延伸方向の端部に連絡部を設け、その連絡部の突出方向の高さを切替カムの突出方向の高さと揃えることで、セレクトジャックがＢポジションからＨポジションに移動する際、固定プレッサから切替カムに選択用バットをスムーズに移動させられる。
【図面の簡単な説明】
【００２４】
【図１】実施形態１の横編機に備わる編針のうち、セレクトジャックとセレクタとの針溝内における配置状態を示す概略図である。
【図２】実施形態１の横編機に備わるダブルカムシステムの中央部分の一部を示す概略図である。
【図３】図２の要所におけるセレクトジャックとセレクタの位置関係を示す概略図である。
【図４】実施形態１の横編機に備わるダブルカムシステムの端部部分の一部を示す概略図である。
【図５】実施形態２に示す横編機のセレクトジャックとセレクタの位置関係を示す概略図である。
【図６】実施形態３に示す横編機のセレクトジャックとセレクタの位置関係を示す概略図である。
【図７】実施形態４に示す横編機のカムシステムの一部を示す概略図である。
【図８】従来の横編機における針床の針溝内での編針の配置状態を示す概略図である。
【図９】従来の横編機におけるカムシステムの概略図である。
【発明を実施するための形態】
【００２５】
以下、本発明の実施形態を図面に基づいて説明する。本発明の横編機は、編針の一部、及びカムシステムの一部が、従来の横編機と異なる。従来の横編機と同じ機能を有する構成には図８，９と同じ符号で示し、その詳しい説明を省略する。
【００２６】
＜実施形態１＞
図１に示す針溝２ｇ内の編針１のうち、セレクトジャック３の構成が従来とは異なる。セレクトジャック３は、その先端の位置に形成される選択用バット３１の根元部分から編針１の後端側（紙面下側）に張り出す張出部３Ｐを備える。このセレクトジャック３では、選択用バット３１における編針１の後端側の端面が、セレクタ４の先端部４Ｆに係合される第一係合部３Ａとして機能する。第一係合部３Ａは、基底位置から中間位置に移動するセレクタ４の先端部４Ｆが係合される部分である。第一係合部３Ａがセレクタ４に突き上げられることで、セレクトジャック３はＢポジションからＨポジションに移動する。
【００２７】
また、本例のセレクトジャック３では、張出部３Ｐにおける編針１の後端側の端面が、セレクタ４の先端部４Ｆに係合される第二係合部３Ｂとして機能する。つまり、第二係合部３Ｂは、第一係合部３Ａよりも編針１の後端側で、かつ針溝２ｇの底面側にずれた位置にある。第二係合部３Ｂは、基底位置から進出位置に移動するセレクタ４の先端部４Ｆが係合される部分である。第二係合部３Ｂがセレクタ４に突き上げられることで、セレクトジャック３はＨポジションからＡポジションに移動する。編針１の長手方向における第一係合部３Ａと第二係合部３Ｂとの離隔距離は、セレクタ４の基底位置から中間位置までの距離よりも若干（１ｍｍ以下程度）小さい。そのため、第一係合部３Ａから第二係合部３Ｂへのセレクタ４の掛け替えがスムーズになる。
【００２８】
一方、本例のセレクタ４は、図８に示す従来のセレクタ４０と同じ構成を備える。
【００２９】
次に、本例のカムシステム１００を図２に基づいて説明する。図２では、カムシステム１００のうち、選針に関わる箇所のみを示す。また、図２では、セレクトジャック３が１段階目の選針でＨポジションに移動し、２段階目の選針でＡポジションに移動する例を説明する。その際の選択用バット３１と上げバット４２の軌跡のみを図２に示す。本例のカムシステム１００は、固定プレッサ５とセレクタレイジングカム８の構成が従来の横編機とは異なる。また、本例のカムシステム１００は、従来の横編機には存在しない切替カム６を備える。
【００３０】
切替カム６は、セレクトジャック下げカム８２の下方側の縁部に沿って設けられる。本例では、切替カム６は、セレクトジャック下げカム８２と別体であるが、一体であっても良い。切替カム６は、カムプレート１０１（図９参照）に平行な本体部６０と、本体部６０の両端部に形成されるスロープ部６１とを備える。切替カム６の本体部６０の突出方向（紙面手前方向）の高さは一様で、固定プレッサ５の突出方向の高さよりも低くなっている。スロープ部６１は、カムプレート１０１から本体部６０に向うに従って徐々に高くなった傾斜面を備える。本体部６０の幅は、二つの上げ部８４ａの形成範囲と同じか、もしくは若干広く、あるいは若干狭くする。そうすることで、上げ部８４ａによって上昇するセレクタ４の先端部４Ｆが第二係合部３Ｂに係合しないように、本体部６０が選択用バット３１に作用できる。上げ部８４ａの形成範囲とは、左側の上げ部８４ａに上げバット４２が接触する位置と、本例と逆方向にキャリッジが移動したときに右側の上げ部８４ａに上げバット４２が接触する位置と、の間の距離である。
【００３１】
この切替カム６は、セレクタ４に突き上げられてＨポジションに移行したセレクトジャック３（図１）の選択用バット３１を針溝２ｇ内に沈み込ませるものである。切替カム６によって、選択用バット３１は、その一部が針溝２ｇから突出する程度に針溝２ｇ内に沈み込まされる。その結果、切替カム６は、セレクトジャック３とセレクタ４を針溝２ｇの深さ方向に離隔させる。その詳細については、図３を参照して後述する。
【００３２】
固定プレッサ５は、カムプレート１０１に平行な中間部５０と、中間部５０の延伸方向の両端部に形成される連絡部５１とを備える。連絡部５１は、中間部５０よりも低くなっている。連絡部５１の突出方向の高さは、切替カム６（本体部６０）の突出方向の高さと揃っている。中間部５０と連絡部５１とは、中間部５０から連絡部５１に向って下がる傾斜面（図中のバツ印で示す部分）を備える傾斜部５２で繋がっている。連絡部５１及び傾斜部５２は、固定プレッサ５とは別体であっても良い。連絡部５１の突出高さは、選択用バット３１が固定プレッサ５と切替カム６との境界に引っ掛からずにスムーズに移動できるように揃っていれば良い。例えば、連絡部５１と切替カム６の突出方向の高さとの差は、１ｍｍ以下（０ｍｍを含む）であることが好ましい。
【００３３】
セレクタレイジングカム８は、その歯口方向（紙面上方向）の高さが、図９の従来のセレクタレイジングカム８８よりも低くなっている。これは、図１のセレクトジャック３に第一係合部３Ａと第二係合部３Ｂを形成したことによって得られる効果である。セレクタレイジングカム８の歯口方向の高さが低いと、編成カム８０（図９）をセレクトジャック下げカム８２の側に寄せることができる。そのため、カムシステム１００の移動方向の長さを短くでき、キャリッジの往復ストロークを短くできる。また、キャリッジの移動方向の長さが短くなれば、キャリッジが軽量化され、キャリッジの移動速度が速くなる。これらの結果、編成時間が短縮され、編成効率が向上する。
【００３４】
ここで、セレクタレイジングカム８の歯口方向の高さは、例えば下部セレクタガイドカム８４の上げ部８４ａの歯口方向の高さの１倍以上１．６倍以下とすることができる。セレクタレイジングカム８（上げ部８４ａ）の歯口方向の高さは、基底位置にある上げバット４２が最初に接触する箇所を基準位置とし、基準位置からセレクタレイジングカム８（上げ部８４ａ）の頂点までの距離である。これに対して、図９の従来のセレクタレイジングカム８８の歯口方向の高さは、上げ部８４ａの歯口方向の高さの１．６倍以下とすることはできない。
【００３５】
次に、図３を参照して、セレクトジャック３が１段階目の選針でＨポジションに、２段階目の選針でＡポジションに移動する際のセレクトジャック３とセレクタ４との位置関係を説明する。図３の（Ａ）〜（Ｆ）はそれぞれ、図２の大文字アルファベットＡ〜Ｆで示す縦破線の位置に対応している。
【００３６】
図３（Ａ）では、セレクトジャック３はＢポジションにあり、セレクトジャック３の選択用バット３１は、固定プレッサ５の中間部５０によって針溝２ｇ内に沈み込まされている。一方、セレクタ４は基底位置にあり、セレクタ４の先端部４Ｆは、選択用バット３１を突き上げていない。
【００３７】
図３（Ｂ）では、選択用バット３１は固定プレッサ５の傾斜部５２にあり、図３（Ａ）の状態よりも針溝２ｇに若干浮上している。傾斜部５２の歯口方向側（紙面上側）には切替カム６の本体部６０が存在している。
【００３８】
図３（Ｃ）では、セレクタ４が中間位置に移動することで、セレクタ４の先端部４Ｆがセレクトジャック３の第一係合部３Ａを突き上げ、セレクトジャック３はＨポジションに移動されると共に、切替カム６の本体部６０上に配置される。セレクトジャック３の選択用バット３１は、切替カム６に押されて針溝２ｇに半分ほど沈み込んだ状態になっている。そのため、セレクトジャック３とセレクタ４とは、針溝２ｇの深さ方向（紙面左右方向）に離隔される。
【００３９】
図３（Ｄ）では、セレクタ４が一旦、基底位置に戻される。その際、針溝２ｇの深さ方向にセレクトジャック３とセレクタ４とが離隔されているので、セレクタ４が動いたときに、セレクタ４がセレクトジャック３に引っ掛かり難い。従って、セレクトジャック３が意図せずに動くことがなく、セレクトジャック３はＨポジションに維持される。上記図３（Ｂ）〜（Ｄ）の区間、つまり１段階目の選針によってセレクトジャック３１がＨポジションに移動する移動区間では、選択用バット３１は本体部６０で沈められた状態で移動する。
【００４０】
図３（Ｅ）では、選択用バット３１は切替カム６を通り過ぎ、針溝２ｇから浮上した状態になっている。そのため、針溝２ｇの深さ方向にセレクトジャック３の先端側の部分とセレクタ４とが近づき、セレクタ４の先端部４Ｆがセレクトジャック３の第二係合部３Ｂの近傍に対向して配置される。
【００４１】
図３（Ｆ）では、セレクタ４が進出位置に移動することで、セレクタ４の先端部４Ｆが第二係合部３Ｂを突き上げ、セレクトジャック３はＡポジションに移動される。ここで、図３（Ｅ）に示されるように、セレクタ４が基底位置にある時点で、既にセレクタ４の先端部４Ｆが、Ｈポジションにあるセレクトジャック３の第二係合部３Ｂに近接している。そのため、図３（Ｆ）では、セレクタ４が空走する距離が非常に短く、セレクタ４を基底位置から進出位置に移動させる距離も短くなる。
【００４２】
次に、キャリッジの端にある選針アクチュエーター９４に対応した切替カム６の構成を図４に基づいて説明する。キャリッジの端では、紙面左方向にキャリッジが移動するときに選針アクチュエーター９４で１段階目の選針が行われる。そして、キャリッジが反転して紙面右方向に移動するときに選針アクチュエーター９４で２段階目の選針が行われる。１段階目の選針を終えてキャリッジが反転すると、セレクタは上部セレクタガイドカム８３で基底位置まで下げられ、紙面左側の上げ部８４ａで中間位置に上げられてから、２段階目の選針に供される。図４には、１段階目の選針における選択用バット３１と上げバット４２の軌跡のみを示す。
【００４３】
図４で示すキャリッジの端においても、セレクトジャック下げカム８２の縁部に沿って切替カム６が設けられている。この切替カム６によっても、図３で説明したセレクトジャック３とセレクタ４との掛け替えを行えるので、セレクタレイジングカム８の歯口方向の高さを従来構成よりも低くできる。
【００４４】
但し、キャリッジの端では、１段階目の選針を受けたセレクタ４を中間位置のまま維持している。中間位置にあるセレクタ４は、例えば図３（Ｃ）に示されるように、ワイヤ２ｗによって下支えされる。そのため、１段階目の選針が終了した状態で作業者がメンテナンスのためにキャリッジを止めてセレクタ４に触っても、セレクタ４が針溝２ｇに沈み込まない。従って、メンテナンス後にキャリッジの走行を再開させても、２段階目の選針に支障は生じない。
【００４５】
ここで、図２，４とは異なり、選択用バット３１がＨポジション又はＡポジションに配置された状態で１段階目の選針を受ける場合もある。その場合、選択用バット３１は、スロープ部６１を介して本体部６０に乗り上げる。そして、セレクトジャック下げカム８２によってＢポジションに下げられる。このとき、切替カム６の本体部６０は選択用バット３１を沈み込ませ、第二係合部３Ｂと先端部４Ｆとが針溝２ｇの深さ方向にずれる。そのため、セレクトジャック３がＢポジションに下がったときに、第二係合部３Ｂがセレクタ４の先端部４Ｆに衝突・係合することを回避できる。
【００４６】
＜実施形態２＞
実施形態２では、セレクトジャック３とセレクタ４の形状が実施形態１とは異なる例を図５に基づいて説明する。図５（Ｂ）〜（Ｆ）はそれぞれ、図２の大文字アルファベットＢ〜Ｆで示す縦破線の位置に対応している。
【００４７】
図５（Ｂ）に示すように、本例のセレクトジャック３では、二股に分かれた後端部のうち、針溝２ｇの開口側にある後端部を第一係合部３Ａとしている。また、本例のセレクトジャック３では、実施形態１と同様に、張出部３Ｐの編針１の後端側の端面を第二係合部３Ｂとしている。
【００４８】
図５（Ｃ）では、セレクタ４が中間位置に移動している。その際、セレクタ４における上げバット４２と反対側（針溝２ｇの底面側）に突出する係合突起４５によってセレクトジャック３の第一係合部３Ａが突き上げられる。その結果、セレクトジャック３もＨポジションに移動する。セレクトジャック３の選択用バット３１は切替カム６上に配置される。
【００４９】
図５（Ｄ）では、セレクタ４が基底位置に戻る。図５（Ｅ）では、切替カム６が無い位置（図２の縦破線Ｅ参照）まで選択用バット３１が移動しているので、選択用バット３１が針溝２ｇから浮上する。その結果、セレクタ４の先端部４Ｆが第二係合部３Ｂに係合される。第一係合部３Ａは、係合突起４５から離隔している。
【００５０】
図５（Ｆ）では、セレクタ４が基底位置から進出位置に移動し、先端部４Ｆに突き上げられたセレクトジャック３もＡポジションに移動する。図５（Ｅ），（Ｆ）を参照すれば、本例の構成によってもセレクタ４の空走距離が殆ど無いことが分かる。
【００５１】
＜実施形態３＞
実施形態３では、セレクトジャック３とセレクタ４の形状が実施形態１，２とは異なる例を図６に基づいて説明する。図６（Ｂ）〜（Ｆ）はそれぞれ、図２の大文字アルファベットＢ〜Ｆで示す縦破線の位置に対応している。
【００５２】
図６（Ｂ）に示すように、本例のセレクトジャック３では、実施形態１と同様に、選択用バット３１の編針１の後端側の端面を第一係合部３Ａとしている。また、本例のセレクトジャック３には、その中間部のややＡポジション寄りの位置に突起状の第二係合部３Ｂが形成されている。第二係合部３Ｂはセレクタ４側（針溝２ｇの開口側）に向って突出している。一方、セレクタ４には、その中間部のやや進出位置寄りの位置に係合突起４ｐが形成されている。セレクトジャック３がＢポジションにあり、セレクタ４が基底位置にあるとき、係合突起４ｐは、第二係合部３ＢよりもＡポジション側に配置されている。係合突起４ｐと第二係合部３Ｂとは互いに針床２ｇの深さ方向に離隔している。
【００５３】
図６（Ｃ）では、セレクタ４が中間位置に移動している。その際、セレクタ４の先端部４Ｆによってセレクトジャック３の第一係合部３Ａが突き上げられる。その結果、セレクトジャック３もＨポジションに移動する。セレクトジャック３の選択用バット３１は切替カム６上に配置される。
【００５４】
図６（Ｄ）では、セレクタ４が基底位置に戻る。セレクタ４が基底位置に戻ることで、歯口方向における係合突起４ｐと第二係合部３Ｂの位置が入れ替わり、係合突起４ｐは第二係合部３Ｂよりも編針１の後端側に配置される。このとき、選択用バット３１が切替カム６に押されて、セレクトジャック３とセレクタ４との離隔距離が保たれているので、係合突起４ｐと第二係合部３Ｂとが引っ掛かることは無い。
【００５５】
図６（Ｅ）では、切替カム６から選択用バット３１が外れて、選択用バット３１が針溝２ｇから浮上する。このとき、係合突起４ｐと第二係合部３Ｂとが針溝２ｇの深さ方向に互いに係合可能な位置に配置されている。そのため、セレクタ４の係合突起４ｐが第二係合部３Ｂに係合される。第一係合部３Ａは、先端部４Ｆから離隔している。
【００５６】
図６（Ｆ）では、セレクタ４が基底位置から進出位置に移動し、係合突起４ｐに突き上げられたセレクトジャック３はＡポジションに移動する。図６（Ｅ），（Ｆ）を参照すれば、本例の構成によってもセレクタ４の空走距離が殆ど無いことが分かる。
【００５７】
＜実施形態４＞
実施形態４では、上部セレクタガイドカム８３と、下部セレクタガイドカム８４と、セレクトジャック下げカム８２の形状が実施形態１と異なる例を図７に基づいて説明する。カム８２，８３，８４の機能は、実施形態１と同じである。
【００５８】
本例の下部セレクタガイドカム８４には上げ部８４ａが一つだけ形成されている。この下部セレクタガイドカム８４の形状に合わせて、上部セレクタガイドカム８３は下げバット４１をＢポジションに戻せる形状に構成されている。
【００５９】
一方、セレクトジャック下げカム８２は、その中間部が歯口方向（紙面上方向）に凹んだ形状を備えている。その凹んだ箇所の両端部には、中間部から両端部に向うに従って突出方向（紙面手前方向）に高くなる傾斜面となっている。傾斜面を除く凹部の幅は、ＢポジションからＨポジションに移動する選択用バット３１が上記傾斜面に引っ掛からないように、上げ部８４ａの形成範囲と同じか、もしくは若干広く、あるいは若干狭くなっている。そのため、Ｈポジションに配置された選択用バット３１が、Ｈポジションを維持したままセレクトジャック下げカム８２を通過できるようになっている。
【００６０】
以上説明した構成においても、実施形態１で説明した切替カム６を適用することができる。切替カム６は、実施形態１と同様に、セレクトジャック下げカム８２の縁部に沿って設けられ、セレクトジャック３とセレクタ４との係合位置の掛け替えに寄与する。
【００６１】
＜その他の実施例＞
実施形態１〜４では、アクチュエーターカムを備える機械式の選針アクチュエーター９１，９２，９３，９４を用いた例を説明したが、選針アクチュエーター９１，９２，９３，９４は、特許３４５９５１４号公報に示すような電磁吸着タイプであっても良い。
【符号の説明】
【００６２】
１  編針
２  針床
２ｂ  鋼帯  ２ｇ  針溝  ２ｐ  ニードルプレート  ２ｗ  ワイヤ  
３  セレクトジャック  ３Ａ  第一係合部  ３Ｂ  第二係合部  ３Ｐ  張出部
４  セレクタ  ４Ｆ  先端部  ４ｐ  係合突起
５  固定プレッサ  ５０  中間部  ５１  連絡部  ５２  傾斜部
６  切替カム  ６０  本体部  ６１  スロープ部
８  セレクタレイジングカム
１０  ニードル本体  １１  フック
２０  ニードルジャック  ２１，２２  編成用バット
３０  セレクトジャック  ３１  選択用バット
４０  セレクタ
４１  下げバット  ４２  上げバット  ４３  選針用バット  ４４  尾部
４５  係合突起
１００  カムシステム  １０１  カムプレート
８０  編成カム
８１  目移しカム
８２  セレクトジャック下げカム
８３  上部セレクタガイドカム
８４  下部セレクタガイドカム  ８４ａ  上げ部
８５  固定プレッサ
８６  タックプレッサ
８７  ハーフプレッサ
８８  セレクタレイジングカム
８９  復帰カム
９１，９２，９３，９４  選針アクチュエーター
【図１】
2020169431.tif 000003
【図２】
2020169431.tif 000004
【図３】
2020169431.tif 000005
【図４】
2020169431.tif 000006
【図５】
2020169431.tif 000007
【図６】
2020169431.tif 000008
【図７】
2020169431.tif 000009
【図８】
2020169431.tif 000010
【図９】
2020169431.tif 000011